(57)【要約】【課題】イグナイタ交換扉が開かれた場合に、ランプ交換扉側の回路遮断スイッチを利用して電源回路を遮断できるようにする。【解決手段】装置本体2と、装置本体2に開口するランプ交換窓4a及びランプ交換窓4aを開閉するランプ交換扉14と、装置本体2に開口するランプ交換窓4aとは異なる位置に開口するランプ交換扉14及びランプ交換扉14を開閉するイグナイタ交換扉51と、ランプ交換扉14の開閉を検出する扉開放検出スイッチ21と、扉開放検出スイッチ21によりランプ交換扉14の開放状態を検出すると、装置本体2内の回路への通電を遮断する回路遮断装置と、扉開放検出スイッチ21がランプ交換扉14の閉状態を検出している場合はイグナイタ交換扉51の閉状態をロックし、扉開放検出スイッチ21がランプ交換扉14の開状態を検出している場合はイグナイタ交換扉51の開放を許容する扉開放規制機構とを備えている。【選択図】図５
2009200004.tif 000002
【特許請求の範囲】
【請求項１】
装置本体と、
前記装置本体に設けられた第１開口部、及び該第１開口部を開閉する第１扉と、
前記装置本体に設けられ、前記第１開口部とは異なる位置に設けられた第２開口部、及び該第２開口部を開閉する第２扉と、
前記第１扉の開閉を検出する開閉検出部と、
前記開閉検出部により前記第１扉の開放状態を検出すると、前記装置本体内の回路への通電を遮断する回路遮断装置と、
前記開閉検出部が前記第１扉の閉状態を検出している場合は前記第２扉の閉状態をロックし、該開閉検出部が該第１扉の開状態を検出している場合は前記第２扉の開放を許容する扉開放規制機構と
を備えていることを特徴とする光源装置。
【請求項２】
前記第２扉が開いた状態において前記第１扉が閉じるのを規制し、前記第２扉が閉じた状態において前記第１扉が閉じるのを許容する扉閉鎖規制機構を備える
ことを特徴とする請求項１記載の光源装置。
【請求項３】
前記扉閉鎖規制機構は、前記第１扉の閉鎖を規制する位置から規制しない位置へ移動可能な規制部材及び前記第２扉に設けた押圧部から成り、
前記第２扉が閉鎖された状態では前記押圧部材が前記規制部材を押圧し、該規制部材を前記第１扉の閉鎖を許容する位置へ退避させる
ことを特徴とする請求項２記載の光源装置。
【請求項４】
前記装置本体には放電ランプ、及び該放電ランプを点灯させるイグナイタが設けられ、
前記第１扉にて閉じられる前記第１開口部が前記放電ランプにアクセス可能な位置に開口され、
前記第２扉にて閉じられる前記第２開口部が前記イグナイタにアクセス可能な位置に開口されている
ことを特徴とする請求項１〜３の何れか１項に記載の光源装置。
【請求項５】
前記扉開放規制機構は前記第１扉に連動して動作し、該第１扉が閉じた状態において第２扉の閉状態をロックする
ことを特徴とする請求項１〜４の何れか１項に記載の光源装置。
【請求項６】
前記扉開放規制機構は、前記装置本体に設けられていると共に前記第１扉にて押圧されるスライダを有し、
前記スライダが前記第１扉が閉じられた状態おいて押圧移動されて前記第２扉の閉状態をロックする
ことを特徴とする請求項１〜５の何れか１項に記載の光源装置。
【請求項７】
前記第１開口部が前記装置本体の側面に形成され、
前記第２開口部が前記装置本体の底面に形成されている
ことを特徴とする請求項１〜６の何れか１項に記載の光源装置。
【発明の詳細な説明】
【技術分野】
【０００１】
本発明は、第１扉が閉じている状態では第２扉を開くことができないようにした光源装置に関する。
【背景技術】
【０００２】
従来、内視鏡やプロジェクタ等に照明光を供給する光源装置の光源としては、キセノンランプ等の高輝度を発生する放電ランプが設けられている。又、この放電ランプとランプ電源との間にはイグナイタが介装されており、ランプ電源からの電力をイグナイタにより一時的に高電圧に昇圧して、放電ランプに印加することにより、この放電ランプ内で放電が始まり点灯される。
【０００３】
このような光源装置に用いられている放電ランプ等の消耗品を交換しようとする場合は、例えば特許文献１（特開平６−１７５０４３号公報）に開示されているように、光源装置のランプ交換扉（第１扉）を開け、放電ランプを、この放電ランプを保持するヒートシンクと共に取り出し、新たな放電ランプに交換した後、再度収納する。この場合、ランプ交換扉を開ける際には、回路遮断装置が作動して電源回路を遮断する。
【０００４】
一方、イグナイタも消耗品であるが、イグナイタは放電ランプに比し寿命が長く、交換頻度が少ないため、光源装置内部に配設されている。従って、イグナイタを交換するに際しては、先ず、トップカバーを外し、その後、イグナイタを覆っているシールドケースを外してから取り出す必要がある。そのため、イグナイタの交換には煩雑な作業が要求され、作業効率が悪いという問題がある。
【０００５】
この対策として、イグナイタを交換するための第２扉（イグナイタ交換扉）を光源装置に設け、このイグナイタ交換扉を開けることで、イグナイタを取り出すことができるようにすることも考えられる。
【特許文献１】特開平６−１７５０４３号公報
【発明の開示】
【発明が解決しようとする課題】
【０００６】
ところで、光源装置にイグナイタを交換するための第２扉（イグナイタ交換扉）を設けた場合、当該第２扉にも回路遮断装置を併設する必要がある。
【０００７】
しかし、一台の光源装置に、第１扉と第２扉とを設けた場合、この各扉に回路遮断装置を設けることは、部品点数の増加を招くばかりでなく、電気配線が複雑となり、組立が煩雑化する不都合がある。
【０００８】
本発明は、上記事情に鑑み、第１扉側と第２扉側との双方に回路遮断装置を設けることなく、第２扉を開いた場合には第１扉側の回路遮断スイッチにて電源回路を遮断させることができるようにして、部品の共用化による部品点数の削減、電気配線及び組立の簡素化を実現することのできる電源装置を提供することを目的とする。
【課題を解決するための手段】
【０００９】
上記目的を達成するため本発明による光源装置は、装置本体と、前記装置本体に設けられた第１開口部、及び該第１開口部を開閉する第１扉と、前記装置本体に設けられ、前記第１開口部とは異なる位置に設けられた第２開口部、及び該第２開口部を開閉する第２扉と、前記第１扉の開閉を検出する開閉検出部と、前記開閉検出部により前記第１扉の開放状態を検出すると、前記装置本体内の回路への通電を遮断する回路遮断装置と、前記開閉検出部が前記第１扉の閉状態を検出している場合は前記第２扉の閉状態をロックし、該開閉検出部が該第１扉の開状態を検出している場合は前記第２扉の開放を許容する扉開放規制機構とを備えていることを特徴とする。
【発明の効果】
【００１０】
本発明によれば、扉開放規制機構により、第１扉が開放されていない状態では、第２扉のロックが解除できないようにしたので、第１扉側と第２扉側との双方に回路遮断スイッチを設けることなく、第２扉を開いた場合には第１扉側の回路遮断スイッチにて電源回路を遮断させることができる。その結果、部品の共用化により部品点数の削減、電気配線及び組立の簡素化を実現することができる。
【発明を実施するための最良の形態】
【００１１】
以下、図面に基づいて本発明の一実施形態を説明する。
【００１２】
[第１実施形態]
図１〜図１４に本発明の第１実施形態を示す。図１は光源装置の全体斜視図、図２は光源装置のトップカバーを外した状態の斜視図、図３はランプケースの斜視図、図４はシャーシを底面から見た斜視図である。尚、以下においては、左右方向を、正面視を基準として説明する。
【００１３】
図１、図２の符号１は光源装置であり、例えば内視鏡に照明光を供給するものである。この光源装置１の装置本体２は、本体部３とトップカバー４とを有している。本体部３はシャーシ３ａの前部に前面パネル３ｂが固設され、後部に背面板３ｃが固設されて、上面及び両側面が開放された略コの字状に形成されている。一方、トップカバー４は、本体部３の上面及び左右側面を覆う略コの字状に形成されている。
【００１４】
又、シャーシ３ａの後部左右に、ランプユニットを内装するランプケース５と、各駆動部に電源を供給する電源ユニットを内装する電源ケース６とが配設されている。又、電源ケース６の上面に、光源装置１全体を制御する制御基板７が固設されている。更に、ランプケース５の前方に光学系９が配設され、電源ケース６の前方に送気ポンプ８が配設されている。
【００１５】
又、前面パネル３ｂには、操作部１１及びソケット部１２が設けられている。操作部１１には電源スイッチや、ランプケース５に内装されている放電ランプから出射される照明光の光量を調整するスイッチ、光学系９に配設されている絞りを調整するスイッチ、送気ポンプ８の動作及び停止を操作するポンプスイッチ等の各種スイッチ類が所定に配設されている。又、ソケット部１２には、図示しない内視鏡から延出されているユニバーサルコードの端部に固設されているライガイドコネクタが装着される。
【００１６】
ライトガイドコネクタをソケット部１２に装着すると、このライトガイドコネクタから突出しているライトガイドファイバの入射端面に、ランプケース５に内装されている放電ランプからの照明光が光学系９を介して入射可能となる。更に、送気ポンプ８から延出する送気管路（図示せず）に、ライトガイドコネクタから突出されている送気チューブが接続されて送気可能となる。
【００１７】
図３に示すように、ランプケース５はシールド機能を有しており、このランプケース５の左側面に開口窓５ａが形成されている。又、図５〜図７に示すように、トップカバー４の、開口窓５ａに対峙する面、すなわち、トップカバー４の左側面に、開口窓５ａを介して、ランプユニットに対し外部からアクセス可能な第１開口部としてのランプ交換窓４ａが形成されており、このランプ交換窓４ａが、第１扉としてのランプ交換扉１４で閉鎖されている。
【００１８】
ランプ交換扉１４の内面に、保護部材１５とスイッチ押圧部材１６とが固設されている。この両部材１５，１６は樹脂などの絶縁性を有する材料を用いて形成されており、本実施形態では、スイッチ押圧部材１６がランプ交換扉１４の一側（図においては奥側）に固設されている。このスイッチ押圧部材１６は、トップカバー４に形成されているランプ交換窓４ａの方向へ突出されており、その先端部にテーパガイド面１６ａが形成されている。
【００１９】
このランプ交換扉１４を、トップカバー４に形成されているランプ交換窓４ａに取付け、このランプ交換扉１４をつまみネジ１７を介してトップカバー４にネジ止めすると、スイッチ押圧部材１６がトップカバー４に開口されているランプ交換窓４ａを貫通して、装置本体２内に臨まされる。このスイッチ押圧部材１６の装置本体２内に臨まされる位置であって、ランプケース５とトップカバー４との間に、開閉検出部としてのランプ交換扉開放検出スイッチ２１が配設されている。このランプ交換扉開放検出スイッチ２１は、インターロックスイッチと放電スイッチとを備えた２連スイッチであり、ブラケット２２を介してシャーシ３ａに固設されている。
【００２０】
このランプ交換扉開放検出スイッチ２１は、ランプ交換扉１４の開閉を検出し、ランプ交換扉１４が開くと、インターロックスイッチがＯＦＦし、このインターロックスイッチに接続されている周知の回路遮断装置を介して、電源ケース６に内装されている電源ユニットの電源回路が遮断され、装置本体２内の電気回路への通電が遮断される。同時に、放電スイッチがＯＮし、放電回路が接続され電気回路の残留電圧が開放される。又、ランプ交換扉１４が閉じると、インターロックスイッチがＯＮして電源回路が接続されると共に、放電スイッチがＯＦＦする。
【００２１】
又、このランプ交換扉開放検出スイッチ２１に設けられているスイッチ押下部２１ａが、スイッチ押圧部材１６に形成されているテーパガイド面１６ａに摺接して押下される位置に配設されている。更に、このスイッチ押下部２１ａに、板ばねガイド２３の自由端側が当接されている。この板ばねガイド２３の固定端側は、シャーシ３ａの左側面方向へほぼ水平に延出されて固定されている。
【００２２】
スイッチ押圧部材１６がランプ交換窓４ａを貫通して装置本体２内に臨まされると、このスイッチ押圧部材１６の先端部に形成されているテーパガイド面１６ａが板ばねガイド２３を押圧し、この板ばねガイド２３を介して、ランプ交換扉開放検出スイッチ２１のスイッチ押下部２１ａが押圧される。すると、ランプ交換扉開放検出スイッチ２１がＯＮし、電源ケース６が給電可能状態となる。一方、スイッチ押圧部材１６がランプ交換窓４ａから抜かれると、スイッチ押下部２１ａに対する押圧力が解かれるため、ランプ交換扉開放検出スイッチ２１がＯＦＦし、電源ケース６からの給電が遮断される。尚、上述した板ばねガイド２３は、スイッチ押圧部材１６をスイッチ押下部２１ａへガイドする機能と、スイッチ押下部２１ａのスイッチ動作を大きくする機能との双方を備えている。
【００２３】
又、ランプケース５内にランプベース２６が配設されている。このランプベース２６はセラミック材等の高い電熱性及び絶縁性を有する材料で形成されており、シャーシ３ａにネジ等を用いて固設されている。
【００２４】
このランプベース２６上に、周知のランプユニット（図示せず）が固定されている。このランプユニットはランプケース５に開口されている開口窓５ａから取出し自在にされており、このランプユニットに、マイナス側ヒートシンクとプラス側ヒートシンクとが設けられ、この両ヒートシンク間に放電ランプが取外し自在に保持されている。この両ヒートシンクが、ランプベース２６に立設されているマイナス電極３５ａ、ブラス電極３５ｂ（図１０参照）に接続されている。
【００２５】
図３、図５、図６、図１０に示すように、ランプベース２６は下方が開口する所定高さの箱形に形成されており、その開口端縁がシャーシ３ａに固定されている。このランプベース２６の上面は、ランプケース５に形成されている開口窓５ａの下側縁部よりも高い位置に形成されており、ランプベース２６の開口窓５ａから露呈されている側面にガイド孔部２６ａが形成されている。このガイド孔部２６ａにスライダ２７が進退自在に挿通されている。
【００２６】
このスライダ２７は、樹脂などの絶縁性を有する材料から形成されており、図１３に示すように、矩形の平坦な上面２７ａを有し、この上面２７ａの前端に前面部２７ｂが形成され、上面２７ａの一側に側面部２７ｃが形成され、他側に側面ブロック部２７ｄが形成されている。側面部２７ｃの前面部２７ｂ側にストッパ部２７ｅが切欠き形成され、又、側面ブロック部２７ｄの後端部に後方へ突出する爪部２７ｆが形成されている。更に、前面部２７ｂから軸部２７ｇが上面２７ａの裏面に沿って後方へ延出されており、その延出端部にスナップリング２８が装着される。又、この軸部２７ｇに戻しばね２９が挿通されている。
【００２７】
図１３（ｆ）に示すように、ランプベース２６に形成されているガイド孔部２６ａは、スライダ２７の上面２７ａ、側面部２７ｃ、側面ブロック部２７ｄが挿通される略コの字状の本体挿通孔部２６ｂと、この本体挿通孔部２６ｂに連通すると共に軸部２７ｇが挿通されるＵ溝状に形成された軸挿通孔部２６ｃとを有している。軸挿通孔部２６ｃの溝幅は軸部２７ｇの径よりも大きく、スナップリング２８の径よりも小さく形成されている。
【００２８】
スライダ２７をガイド孔部２６ａに取付けるに際しては、先ず、軸部２７ｇに戻しばね２９を挿通した後、本体挿通孔部２６ｂに上面２７ａ、側面部２７ｃ、側面ブロック部２７ｄを挿通する。又、軸挿通孔部２６ｃに軸部２７ｇを挿通する。次いで、軸挿通孔部２６ｃを貫通してランプベース２６の内面に突出されている軸部２７ｇの端部にスナップリング２８を装着して組立が完了する。尚、ランプベース２６内の天井面２６ｄに、スライダ２７の幅方向をガイドするスライダガイド２６ｅ，２６ｆが突設されている。
【００２９】
図８に示すように、スライダ２７をガイド孔部２６ａに対して所定に取付けると、軸部２７ｇに挿通されている戻しばね２９が、スライダ２７の前面部２７ｂの内面とランプベース２６の側面との間に介装され、スライダ２７は、戻しばね２９の弾撥力によりランプベース２６の側面から吐出される。尚、軸部２７ｇの端部にスナップリング２８が装着されているため、スライダ２７がガイド孔部２６ａから抜けることはない。又、スライダ２７をランプベース２６内に押圧移動させると、側面部２７ｃに形成されているストッパ部２７ｅがランプベース２６の側面に掛止されて、後退時のストロークエンドが規制される。更に、スライダ２７の両側面にスライダガイド２６ｅ，２６ｆが対設され、又、上面２７ａがランプベース２６の天井面２６ｄに近接されているため、スライダ２７はこれらに３面がガイドされてスムーズに進退動作される。
【００３０】
ランプ交換窓４ａをランプ交換扉１４で閉鎖すると、このランプ交換扉１４の内面に固設した保護部材１５に形成されている押圧面１５ａが、スライダ２７に当接すると共に、このスライダ２７を押圧して後退させる。このときのストロークは、予め設定されているストロークエンドよりも短く設定されている。
【００３１】
又、ランプベース２６内に、電源ケース６と電気的に接続されているイグナイタ３１が収納されている。このイグナイタ３１は、電源ケース６で発生した電圧を高電圧に昇圧し、放電ランプに印加させることで、この放電ランプを点灯させるものである。図１４に示すように、イグナイタ３１の基板（イグナイタ基板）３２が、ランプベース２６内に、複数（本実施形態では３本）の支持ボルト３３を介して垂設されている。
【００３２】
又、ランプベース２６に設けられているマイナス電極３５ａとブラス電極３５ｂとからそれぞれ延出されている給電線が、対応する支持ボルト３３にそれぞれ接続されている。又、電源ケース６から延出する電源線は、ランプ交換扉開放検出スイッチ２１に設けられているインターロックスイッチに接続する周知の回路遮断装置を介して対応する他の支持ボルト３３に接続されている。
【００３３】
以下、各支持ボルト３３の締結構造について説明する。尚、各支持ボルト３３の締結構造はほとんど同一であるため、１つの支持ボルト３３の締結構造についてのみ説明する。
【００３４】
ランプベース２６内の天井面２６ｄの、各支持ボルト３３の取付け位置に対応する位置に、ボス部３７が突設されており、このボス部３７に、支持ボルト３３のボルト頭３３ａを落とし込むボルト孔部３７ａが穿設されている。図１２に示すように、このボルト頭３３ａは小判型に形成されており、ボルト孔部３７ａの内周は、このボルト頭３３ａを収納可能な長方形に形成されている（図１０参照）。従って、このボルト頭３３ａをボルト孔部３７ａに落とし込むと、ボルト頭３３ａがボルト孔部３７ａの内周に係合して回転方向の移動が規制される。
【００３５】
又、このボルト孔部３７ａの底部にねじ部挿通孔３７ｂが穿設されている。ねじ部挿通孔３７ｂを貫通したねじ部３３ｂに座金３９を介して第１ナット４０が螺締されて締結固定されている。又、第１ナット４０から下方へ突出されているねじ部３３ｂに、第１、第２端子４２ａ，４２ｂが挿通され、その下面に第２、第３ナット４３ａ，４３ｂが螺入されている。第２、第３ナット４３ａ，４３ｂはダブルナットであり、第１、第２端子４２ａ，４２ｂは、第１ナット４０と第２、第３ナット４３ａ，４３ｂとで狭圧固定されている。又、第２、第３ナット４３ａ，４３ｂがダブルナット構造であるため、第１〜第３ナット４０、４３ａ，４３ｂが緩むことはなく、第１、第２端子４２ａ，４２ｂが接触不良を起すことはない。尚、支持ボルト３３、各ナット４０，４３ａ，４３ｂは、鉄、真鍮、アルミニュウムなどの導電性を有する材料で形成されている。
【００３６】
更に、この第３ナット４３ｂの下端から突出されているねじ部３３ｂに、接点ボルト４５の孔部４５ａが挿通されている。この接点ボルト４５は、そのねじ部４５ｂがイグナイタ基板３２に穿設されているスルホール３２ａに挿通され、反対側に突出されたねじ部４５ｂに螺入された接点ナット４６にて締結されている。尚、ねじ部４５ｂの先端面は接点ナット４６からやや突出されている。
【００３７】
イグナイタ基板３２に穿設されているスルホール３２ａにはランドが形成されており、このランドと第１、第２端子４２ａ，４２ｂが、接点ボルト４５、支持ボルト３３のねじ部３３ｂ、各ナット４３ａ，４３ｂを介して電気的に接続されている。尚、接点ボルト４５は鉄、真鍮、アルミニュウムなどの導電性を有する材料で形成されている。この接点ボルト４５の孔部４５ａに挿通された支持ボルト３３のねじ部３３ｂにばね座金４７を介してロックナット４８が締結されている。上述したように、接点ボルト４５のねじ部４５ｂは接点ナット４６からやや突出されているため、ロックナット４８を強く締結しても、イグナイタ基板３２に締付け荷重が印加されることはなく、このイグナイタ基板３２を有効に保護することができる。
【００３８】
又、接点ボルト４５と接点ナット４６とはイグナイタ基板３２を挟んで締結されているため、この接点ボルト４５の孔部４５ａから支持ボルト３３のねじ部３３ｂを抜いても、接点ボルト４５がイグナイタ基板３２から脱落することはない。従って、ロックナット４８を緩めると、イグナイタ基板３２のみが支持ボルト３３のねじ部３３ｂから外れる。尚、このイグナイタ基板３２には、放電ランプを点灯させるための高電圧パルスを発生させる電気回路が形成されている。
【００３９】
又、シャーシ３ａの、ランプベース２６の内周に位置する部位に、外部からイグナイタ３１に対しアクセス可能な第２開口部としてのイグナイタ交換窓３ｄが形成されており、このイグナイタ交換窓３ｄが第２扉としてのイグナイタ交換扉５１で閉鎖されている。
【００４０】
図４、図５、図６に示すように、このイグナイタ交換扉５１は、一辺にシャーシ３ａの外表に掛止される係止片５１ａが曲げ形成され、この一辺と対向する他辺に、シャーシ３ａの内面に、ガスケット５５を介して掛止される段部５１ｂが曲げ形成されている。尚、図示しないが、このイグナイタ交換扉５１はシャーシ３ａにネジ止めされている。
【００４１】
又、このイグナイタ交換扉５１の内面に、フック部材５２が立設されている。図１１、図１２に示すように、このフック部材５２はハット形状に曲げ形成されており、その中央に、上述したスライダ２７の爪部２７ｆに係合するフック部５２ａを有している。又、このフック部５２ａの両側に曲げ形成されているフランジ部５２ｂがイグナイタ交換扉５１の内面に固設されている。尚、このスライダ２７とフック部材５２とで、イグナイタ交換扉５１の開放を規制する扉開放規制機構が構成されている。
【００４２】
図６に示すように、イグナイタ交換窓３ｄをイグナイタ交換扉５１で閉鎖すると、フック部５２ａが、スライダ２７に形成されている爪部２７ｆの移動方向に臨まされる。又、図５に示すように、ランプ交換扉１４にてランプ交換窓４ａが閉鎖された状態では、ランプ交換扉１４の内面に固設されている保護部材１５の押圧面１５ａが、スライダ２７の前面部２７ｂを押圧し、このスライダ２７をランプベース２６内へ移動させる。すると、スライダ２７に形成されている爪部２７ｆがフック部５２ａに係合されて、イグナイタ交換扉５１が閉鎖された状態でロックされる。
【００４３】
ところで、本実施形態では、イグナイタ交換扉５１は、ランプ交換扉１４が開放されていない限り取外すことはできないが、装着に際してはランプ交換扉１４のみを取付けることが可能である。そのため、光源装置１には、イグナイタ交換扉５１の取付け忘れを検出するスイッチ（イグナイタ交換扉開放検出スイッチ）５４が設けられている。
【００４４】
すなわち、図８、図９、図１１に示すように、ランプベース２６の一側には、イグナイタ交換扉５１の開放を検出するイグナイタ交換扉開放検出スイッチ５４が固設されている。このイグナイタ交換扉開放検出スイッチ５４は、インターロックスイッチ５４ａと放電スイッチ５４ｂとを備えた２連スイッチであり、イグナイタ交換扉５１にてイグナイタ交換窓３ｄが閉鎖されている状態では、イグナイタ交換扉５１の内面に固設されているスイッチ押圧部材５３に押圧されて、インターロックスイッチ５４ａがＯＮすると共に、放電スイッチ５４ｂがＯＦＦする。インターロックスイッチ５４ａがＯＮした状態では、電源ケース６と内部電気回路との接続状態が維持される。又、放電スイッチがＯＦＦしているため放電回路が遮断されている。一方、イグナイタ交換扉５１が開いて、スイッチ押圧部材５３によるイグナイタ交換扉開放検出スイッチ５４の押圧が解除されると、インターロックスイッチ５４ａがＯＦＦして、電源回路が遮断されると共に、放電スイッチ５４ｂがＯＮして放電回路が接続され電気回路の残留電圧が開放される。
【００４５】
又、イグナイタ交換扉５１の内面に絶縁シート５６が貼設されている。この絶縁シート５６は、イグナイタ交換扉５１を閉じた状態で、イグナイタ基板３２の背面から突出されているリード線がイグナイタ交換扉５１に接触することを防止するためのものである。この場合、イグナイタ交換扉５１にリード線を逃げるための凹部を形成しても良い。イグナイタ交換扉５１に凹部を形成することで断面係数が高くなり、イグナイタ交換扉５１の強度を増すことができる。
【００４６】
次に、このような構成による本実施形態の作用について説明する。図５、図８、図１１に示すように、装置本体２のトップカバー４の側面（本実施形態では、向かって左側面）に開口されているランプ交換窓４ａがランプ交換扉１４にて閉鎖されている状態では、このランプ交換扉１４の内面に固設されている保護部材１５の先端に形成されている押圧面１５ａが、ランプベース２６に支持されているスライダ２７を押圧している。
【００４７】
この状態では、スライダ２７に形成されている爪部２７ｆが、イグナイタ交換窓３ｄを閉鎖しているイグナイタ交換扉５１に固設されているフック部材５２に係合して、イグナイタ交換扉５１がロックされている。従って、イグナイタ交換扉５１を開けようとしても、フック部５２ａがスライダ２７の爪部２７ｆに係合しているため開けることができない。
【００４８】
又、このイグナイタ交換扉５１は、フック部材５２の固設されている辺に対向する側の辺に曲げ形成されている段部５１ｂが、イグナイタ交換窓３ｄの内面縁部に掛止されているため、このイグナイタ交換扉５１を締結しているねじを外しても、イグナイタ交換扉５１はイグナイタ交換窓３ｄを閉鎖している状態を維持する。
【００４９】
一方、イグナイタ３１の点検、或いは交換するに際しては、先ず、ランプ交換扉１４を螺締しているつまみネジ１７を装置本体２から螺脱させて、ランプ交換扉１４を開く。すると、図６に示すように、ランプ交換扉１４の内面に固設されている保護部材１５の押圧面１５ａによる、スライダ２７の前面部２７ｂの押圧力が解除される。更に、図７に示すように、ランプ交換扉１４の内面に固設されているスイッチ押圧部材１６による、ランプ交換扉開放検出スイッチ２１のスイッチ押下部２１ａに対する押圧力が解除される。
【００５０】
ランプ交換扉開放検出スイッチ２１のスイッチ押下部２１ａに対する押圧力が解除されると、ランプ交換扉開放検出スイッチ２１に設けられているインターロックスイッチがＯＦＦして電源回路が遮断されると共に、放電スイッチがＯＮして放電回路が接続され電気回路の残留電圧が開放される。
【００５１】
又、スライダ２７の前面部２７ｂに対する押圧力が解除されるとスライダ２７は戻しばね２９の付勢力により、ランプベース２６からランプケース５に形成されている開口窓５ａ側へ突出される。このスライダ２７の両側にはスライダガイド２６ｅ，２６ｆ配設され、又、上面２７ａがランプベース２６の天井面２６ｄに近接されており、スライダ２７はこれらにガイドされてスムーズに移動される。
【００５２】
すると、図６、図９、図１２に示すように、スライダ２７に形成されている爪部２７ｆが、イグナイタ交換扉５１の内面に固設されているフック部材５２のフック部５２ａから退避され、イグナイタ交換扉５１の取外しが可能な状態となる。
【００５３】
次いで、本体部３のシャーシ３ａの底面に開口されているイグナイタ交換窓３ｄを閉鎖するイグナイタ交換扉５１を締結しているねじ（図示せず）を螺脱させる。このとき、スライダ２７の爪部２７ｆがフック部材５２のフック部５２ａから退避されているため、イグナイタ交換扉５１を容易に取外すことができる。そして、このイグナイタ交換扉５１をイグナイタ交換窓３ｄから取外すと、このイグナイタ交換扉５１の内面に固設されているスイッチ押圧部材５３による、イグナイタ交換扉開放検出スイッチ５４を構成するインターロックスイッチ５４ａと放電スイッチ５４ｂとの押圧力が解離される。
【００５４】
その結果、インターロックスイッチ５４ａがＯＦＦすると共に、放電スイッチ５４ｂがＯＮする。インターロックスイッチ５４ａがＯＦＦすると、既に遮断されている電源回路が二重に遮断される。一方、放電スイッチ５４ｂがＯＮすると、放電回路が別回路で接続される。尚、ランプ交換扉１４を開放した際に、ランプ交換扉開放検出スイッチ２１が作動して、既に遮断されている電源回路が遮断され、且つ放電回路が接続されているため、このイグナイタ交換扉開放検出スイッチ５４は省略されていても良い。
【００５５】
そして、開放されたイグナイタ交換窓３ｄから露呈されているイグナイタ３１を取出す。イグナイタ３１を取出すに際しては、図１４に示すように、イグナイタ基板３２を締結している３個のロックナット４８を、支持ボルト３３のねじ部３３ｂから螺脱させる。すると、イグナイタ基板３２が支持ボルト３３のねじ部３３ｂから離脱される。その際、第１、第２端子４２ａ，４２ｂは、第２、第３ナット４３ａ，４３ｂから成るダブルナット機構により、支持ボルト３３に締結されているため、ロックナット４８を緩めても外れることはない。
【００５６】
その後、イグナイタ基板３２をシャーシ３ａに開口されているイグナイタ交換窓３ｄから取出し、所定に点検し、或いは新たなイグナイタ基板３２を用意する。そして、点検終了後のイグナイタ基板３２或いは新たなイグナイタ基板３２を、ランプベース２６内に収容する。収容に際しては、イグナイタ基板３２のスルホール３２ａに接点ナット４６を介して締結されている接点ボルト４５の孔部４５ａに支持ボルト３３のねじ部３３ｂを挿通する。そして、接点ナット４６側に突出されているねじ部３３ｂにロックナット４８を螺入して締結させる。
【００５７】
その際、接点ボルト４５のねじ部４５ｂが接点ナット４６から僅かに突出されているため、ロックナット４８を強く締付けても、その荷重は接点ボルト４５を介して第２ナット４３ｂに伝達されるだけであり、イグナイタ基板３２に不要な荷重が印加されることがない。
【００５８】
又、本実施形態では、ロックナット４８を緩めるとイグナイタ基板３２のみが外れ、第１、第２端子４２ａ，４２ｂは締結状態が維持されているため、イグナイタ基板３２の取付け、取外しが容易で、作業性が良い。
【００５９】
そして、イグナイタ基板３２を支持ボルト３３に所定に取付けた後、イグナイタ交換扉５１を、イグナイタ交換窓３ｄに取付ける。このイグナイタ交換扉５１の内面には、絶縁シート５６が貼付されているため、イグナイタ基板３２の裏面から突出されているリード線がイグナイタ交換扉５１の内面に接触することはない。
【００６０】
又、イグナイタ交換扉５１をイグナイタ交換窓３ｄに取付けるに際しては、ランプ交換扉１４が未だ取付けられていないため、スライダ２７は突出状態が維持されて、爪部２７ｆが退避された位置にあり、フック部材５２がスライダ２７と干渉することもない。その後、このイグナイタ交換扉５１をシャーシ３ａにねじ止めして、イグナイタ交換窓３ｄを閉鎖する。
【００６１】
尚、イグナイタ交換扉５１にてイグナイタ交換窓３ｄを閉鎖すると、スイッチ押圧部材５３がイグナイタ交換扉開放検出スイッチ５４を押圧するため、インターロックスイッチ５４ａがＯＮして電源回路が接続され、又、放電スイッチ５４ｂがＯＦＦして放電回路が遮断される。
【００６２】
その後、ランプ交換扉１４をランプ交換窓４ａに装着し、つまみネジ１７にて装置本体２に固定する。すると、ランプ交換扉１４の内面に固定されているスイッチ押圧部材１６がランプ交換扉開放検出スイッチ２１のスイッチ押下部２１ａを、板ばねガイド２３を介して押圧し、インターロックスイッチをＯＮさせて電源回路を接続させると共に、放電スイッチをＯＦＦさせて放電回路を遮断する。
【００６３】
又、ランプ交換扉１４の内面に固設されている保護部材１５の押圧面１５ａがスライダ２７の前面部２７ｂを押圧し、このスライダ２７を戻しばね２９の付勢力に抗して後退させる。すると、スライダ２７に形成されている爪部２７ｆが、イグナイタ交換扉５１の内面に固設されているフック部材５２のフック部５２ａに係入されて、イグナイタ交換扉５１が閉鎖状態でロックされる。
【００６４】
このように、本実施形態では、イグナイタ交換扉５１は、ランプ交換扉１４が必ず開いていなければ開かないようにしたので、ランプ交換扉１４が開いたときにランプ交換扉開放検出スイッチ２１を構成するインターロックスイッチをＯＦＦさせて電源回路を遮断させ、且つ放電スイッチをＯＮさせて放電回路を接続させることで、イグナイタ交換扉５１側には、原則的にインターロックスイッチと放電スイッチとを設ける必要が無く、部品点数の増加を抑制し、電気配線及び構造の簡素化を実現することができ、組立が容易になる。
【００６５】
又、イグナイタ基板３２を支持する支持ボルト３３に第１、第２端子４２ａ，４２ｂが第２、第３ナット４３ａ，４３ｂから成るダブルナット機構により締結されているため、イグナイタ基板３２を支持ボルト３３から取外しても、第１、第２端子４２ａ，４２ｂが外れたりすることないので、イグナイタ基板３２の取付け、取外しが容易となり、作業性がよい。
【００６６】
[第２実施形態]
図１５〜図２０に本発明の第２実施形態を示す。図１５は図５相当の断面図、図１６は図６相当の断面図、図１７は図１５のXVII-XVII断面図、図１８は図１６のXVIII-XVIII断面図、図１９はランプ交換扉とイグナイタ交換扉の双方が開放されている状態の図１６相当の断面図である。尚、第１実施形態と同一の構成部分については同一の符号を付して説明を省略する。
【００６７】
上述した第１実施形態では、イグナイタ交換扉５１が開いている状態であっても、ランプ交換扉１４のみを閉じることのできる構造であったが、本実施形態では、扉閉鎖規制機構を設け、この扉閉鎖規制機構により、イグナイタ交換扉５１が開いている状態では、ランプ交換扉１４を閉じることができないようにしたものである。
【００６８】
すなわち、扉閉鎖規制機構６０はガイド筒部６１を有し、このガイド筒部６１がランプベース２６に垂立された状態で一体形成されている。このガイド筒部６１は、イグナイタ交換扉５１が閉じられている状態で、フック部材５２のフック部５２ａが対向する位置に垂立されており、その下端がランプベース２６の天井面２６ｄに開口されている。
【００６９】
このガイド筒部６１に、規制部材としてのストッパ本体６２が進退自在に挿通されている。ストッパ本体６２は円筒状を有しており、一側に平坦面６２ａが側面に沿って形成され、この平坦面６２ａの上部に掛止部６２ｂが段状に形成されている。又、ストッパ本体６２の下部に平坦面６２ａ側から下端方向へ湾曲する曲面部６２ｃが形成されている。又、平坦面６２ａがランプ交換窓４ａ側に面した状態で配設されている。
【００７０】
又、図２０に示すように、ガイド筒部６１の天井面２６ｄに形成されている開口部は、ストッパ本体６２の平坦面６２ａが形成されている部位の断面とほぼ同一形状、すなわち、円形の一部を平坦にした形状に形成されており、平坦面６２ａに摺接する支持面６１ａによりストッパ本体６２の軸周方向の回動が規制されている。
【００７１】
この支持面６１ａの上端に、ストッパ本体６２に形成されている掛止部６２ｂを受ける座面６１ｂが形成されている。図１９に示すように、ストッパ本体６２の掛止部６２ｂが、座面６１ｂに掛止された状態では、ストッパ本体６２の先端がランプベース２６の天井面２６ｄから下方へ突出され、スライダ２７の先端がストッパ本体６２に形成されている平坦面６２ａに対設される。又、ストッパ本体６２の上面とガイド筒部６１の内部上面との間に、ストッパ６３を下方へ押圧する圧縮ばね６３が介装されている。
【００７２】
尚、図１７に示すように、スライダガイド２６ｅ，２６ｆはガイド孔部２６ａ側の内壁まで延出されていると共に、ガイド筒部６１の内周に対応する部位には逃げ部が形成されている。これにより、図１８に示すように、スライダ２７がランプベース２６の外方へ突出した場合であっても、このスライダ２７の幅方向への移動を規制することができる。
【００７３】
このような構成では、図１５、図１７に示すように、イグナイタ交換扉５１とランプ交換扉１４とが共に閉じられている状態では、扉閉鎖規制機構６０に設けられているストッパ本体６２がスライダ２７の上面２７ａに摺接して上方へ押し上げられた状態が維持されている。
【００７４】
又、この状態で、図１６に示すように、ランプ交換扉１４を開けると、スライダ２７が戻しばね２９（図１８参照）の付勢力で突出して、このスライダ２７の後端が、扉閉鎖規制機構６２０のストッパ本体６２の下端から外れて、この下端が圧縮ばね６３の付勢力によりフック部材５２のフック部５２ａの上面に当接される。又、スライダ２７の爪部２７ｆが、イグナイタ交換扉５１に固設されているフック部材５２のフック部５２ａから外れるため、イグナイタ交換扉５１の取り外しが許容される。
【００７５】
次いで、図１９に示すように、イグナイタ交換扉５１を開けると、ストッパ本体６２が圧縮ばね６３の付勢力により更に下方へスライドされ、ストッパ本体６２に形成されている係止部６２ｂが、ガイド筒部６１に形成されている座面６１ｂに掛止されて、下方への移動が規制される。すると、このストッパ本体６２の平坦に形成されているガイド面６２ａが、スライダ２７の後端に対設し、スライダ２７の後退方向（図１９の右方向への移動）が規制される。
【００７６】
この状態でイグナイタ交換扉５１を閉めることなくランプ交換扉１４を閉じようとした場合、ランプ交換扉１４に固設されている保護部材１５の押圧面１５ａがスライダ２７の前面部２７ｂを押圧するが、スライダ２７の後端がストッパ本体６２のガイド面６２ａに当接して、スライダ２７の移動が規制されるため、ランプ交換扉１４を閉じることができない。
【００７７】
一方、イグナイタ交換扉５１を閉じると、このイグナイタ交換扉５１に固設されているフック部材５２のフック部５２ａの上面にて、ストッパ本体６２の先端を圧縮ばね６３の付勢力に抗して押し上げる。従って、この場合、フック部５２ａが押圧部として機能する。
【００７８】
そして、図１６に示すように、イグナイタ交換扉５１を閉じると、このフック部５２ａに下端が当接されているストッパ部材６２の曲面部６２ｃが、スライダ２７の後端に対設される。
【００７９】
従って、この状態でランプ交換扉１４を閉じると、保護部材１５の押圧面１５ａがスライダ２７の前面部２７ｂを押圧し、このスライダ２７を後退させる。すると、このスライダ２７の後端がストッパ本体６２の曲面部６２ｃを押し上げて、ストッパ本体６２をランプ交換扉１４の閉鎖を許容する位置へ退避させて、フック部５２ａとストッパ本体６２の下端との間に入り込み、スライダ２７の後退が許容されるため、ランプ交換扉１４を閉じることができる。
【００８０】
このように、本実施形態では、イグナイタ交換扉５１に固設されているフック部材５２によって押し上げられるストッパ本体６２が設けられているので、イグナイタ交換扉５１を開けた状態では、ランプ交換扉１４を閉じることが規制されるため、イグナイタ交換扉５１の閉じ忘れを防止することができる。従って、本実施形態では、第１実施形態のランプベース２６に設けられていたイグナイタ交換扉開放検出スイッチ５４が不要となる。
【図面の簡単な説明】
【００８１】
【図１】第１実施形態による光源装置の全体斜視図
【図２】同、光源装置のトップカバーを外した状態の斜視図
【図３】同、ランプケースが設置されているシャーシの斜視図
【図４】同、シャーシを底面から見た斜視図
【図５】同、図１のV-V断面図
【図６】同、図５の状態からランプ交換扉を外した状態の断面図
【図７】同、図６のVII−VII断面図
【図８】同、ランプ交換扉が閉じられている状態のイグナイタ基板を省略したランプベースの底面図
【図９】同、ランプ交換扉が開いている状態のイグナイタ基板を省略したランプベースの底面図
【図１０】同、ランプケースが除かれた状態の図３相当の斜視図
【図１１】同、ランプベースが除かれた状態であってランプ交換扉が閉じられているときの図１０相当の斜視図
【図１２】同、ランプベースが除かれた状態であってランプ交換扉が開いているときの図１０相当の斜視図
【図１３】同、スライダを示し、（ａ）は底面図、（ｂ）は（ａ）のb-b断面図、（ｃ）は（ａ）のc-c断面図、（ｄ）は正面図、（ｅ）は背面図、（ｆ）は放電ランプの挿通されるガイド孔部の正面図
【図１４】同、図８のXIV-XIV断面図
【図１５】第２実施形態による図５相当の断面図
【図１６】同、図６相当の断面図
【図１７】同、図１５のXVII-XVII断面図
【図１８】同、図１６のXVIII-XVIII断面図
【図１９】同、ランプ交換扉とイグナイタ交換扉の双方が開放されている状態の図１６相当の断面図
【図２０】同、図１９のXX-XX断面図
【符号の説明】
【００８２】
１…光源装置、
２…装置本体、
３…本体部、
３ａ…シャーシ、
３ｄ…イグナイタ交換窓、
４…トップカバー、
４ａ…ランプ交換窓、
５…ランプケース、
１４…ランプ交換扉、
１６，５３…スイッチ押圧部材、
２１…ランプ交換扉開放検出スイッチ、
２１ａ…スイッチ押下部、
２６…ランプベース、
２６ａ…ガイド孔部、
２６ｂ…本体挿通孔部、
２７…スライダ、
２７ｆ…爪部、
３１…イグナイタ、
３２…イグナイタ基板、
３３…支持ボルト、
５１…イグナイタ交換扉、
５２…フック部材、
５２ａ…フック部、
６０…扉閉鎖規制機構、
６２…ストッパ本体、
６２ａ…ガイド面、
６２ｃ…曲面部、
６３…圧縮ばね
【図１】
2009200004.tif 000003
【図２】
2009200004.tif 000004
【図３】
2009200004.tif 000005
【図４】
2009200004.tif 000006
【図５】
2009200004.tif 000007
【図６】
2009200004.tif 000008
【図７】
2009200004.tif 000009
【図８】
2009200004.tif 000010
【図９】
2009200004.tif 000011
【図１０】
2009200004.tif 000012
【図１１】
2009200004.tif 000013
【図１２】
2009200004.tif 000014
【図１３】
2009200004.tif 000015
【図１４】
2009200004.tif 000016
【図１５】
2009200004.tif 000017
【図１６】
2009200004.tif 000018
【図１７】
2009200004.tif 000019
【図１８】
2009200004.tif 000020
【図１９】
2009200004.tif 000021
【図２０】
2009200004.tif 000022